(57)【要約】【課題】嵩張ったり、分解組立作業が面倒である。【解決手段】一方のボード材５を折曲線１０、１０ａ　で折曲して、一方のボード部材１の下部より両側方に台脚部材３、３ａを水平突出させると共に、他方のボード材５ａを折曲線１０、１０ａ　で折曲して、他方のボード部材１ａの下部より反対方向に脚部材４、４ａを水平突出させ、かかる２枚のボード材５、５ａを、一方のボード部材１の係合切込２と、他方のボード部材１ａの係合切込２ａにより水平断面十字状に組み付けると共に、台脚部材３、３ａと、該台脚部材３、３ａ上に接地した脚部材４、４ａを固定して自立式広告ボードとする。使用時には、両方のボード材５、５ａを折曲、組み合わせるだけで組立可能で、それ以外の時には、２枚のボード材５、５ａに分離し重ねた状態にすることが可能になる。【選択図】　　　　図１
2004045683.tif 000002
【特許請求の範囲】
【請求項１】
一方のボード部材の他側部に、厚さをボード部材の半分とした積層状態の一対の台脚部材を連続形成すると共に、一方のボード部材と台脚部材の境界線上に折曲線を設け、一方のボード部材の一側部より係合切込を形成して一方のボード材とし、又他方のボード部材の他側部より係合切込を形成し、他方のボード部材における係合切込の両側部位に一対の脚部材を形成すると共に、他方のボード部材と脚部材の境界線上に折曲線を設けて他方のボード材とし、一方のボード材を折曲線で折曲して、一方のボード部材の下部より両側方に台脚部材を水平突出させると共に、他方のボード材を折曲線で折曲して、他方のボード部材の下部より反対方向に脚部材を水平突出させ、２枚のボード部材を、一方のボード部材の係合切込と、他方のボード部材の係合切込により水平断面十字状に組み付けると共に、台脚部材と、該台脚部材上に接地した脚部材を固定する様にしたことを特徴とする自立式広告ボード。
【請求項２】
台脚部材に円弧状の固定孔を設けると共に、該固定孔を通って台脚部材の下部に至るフラップ片を脚部材に形成したことを特徴とする請求項１記載の自立式広告ボード。
【発明の詳細な説明】
【０００１】
【発明の属する技術分野】
本発明は、店舗内の陳列棚やレジスターのカウンター等の目立つ場所に設置して商品の広告に用いる自立式広告ボードに関する。
【０００２】
【従来の技術】
従来、スーパー、店舗等の店内には、来店客に商品をアピールするための購買時点広告（ＰＯＰ広告）が至る所に飾られており、平面形状又は立体形状の多種多様のものが見受けられる。
【０００３】
【発明が解決しようとする課題】
しかし、特に立体形状のＰＯＰ広告にあっては、そのままの形状であったり、多種類の部品で構成された分解組立自在のものであるため、前者の場合には嵩張ってしまい、後者の場合には分解組立作業が面倒である等、解決せねばならない課題があった。
【０００４】
【課題を解決するための手段】
本発明は、上記従来技術に基づく、嵩張ったり、分解組立作業が面倒な課題に鑑み、一方のボード部材の他側部に、厚さをボード部材の半分とした積層状態の一対の台脚部材を連続形成すると共に、一方のボード部材と台脚部材の境界線上に折曲線を設け、一方のボード部材の一側部より係合切込を形成して一方のボード材とし、又他方のボード部材の他側部より係合切込を形成し、他方のボード部材における係合切込の両側部位に一対の脚部材を形成すると共に、他方のボード部材と脚部材の境界線上に折曲線を設けて他方のボード材とし、一方のボード材を折曲線で折曲して、一方のボード部材の下部より両側方に台脚部材を水平突出させると共に、他方のボード材を折曲線で折曲して、他方のボード部材の下部より反対方向に脚部材を水平突出させ、かかる２枚のボード材を、一方のボード部材の係合切込と、他方のボード部材の係合切込により水平断面十字状に組み付けると共に、台脚部材と、該台脚部材上に接地した脚部材を固定して自立式広告ボードとすることによって、使用時には、両方のボード材を折曲、組み合わせるだけで組立可能で、それ以外の時には、２枚のボード材に分離し重ねた状態にすることを可能にして、上記課題を解決する。
【０００５】
【発明の実施の形態】
以下本発明の一実施例を図面に基づいて説明する。
図１は、本発明に係る自立式広告ボードの斜視図であり、図２は、図１の平面図であり、図３は、図２のＡーＡ断面図であり、図４は、図２のＢーＢ断面図であり、図５は、一方のボード部材の斜視図であり、図６は、図５のボード部材を折り曲げた状態を示す斜視図であり、図７は、他方のボード部材の斜視図であり、図８は、図７のボード部材を折り曲げた状態を示す斜視図である。
本発明に係る自立式広告ボードは、２枚のボード部材１、１ａに係合切込２、２ａを形成して、２枚のボード部材１、１ａを水平断面十字状に組み、上部に係合切込２を形成した一方のボード部材１の下部より両側方へ水平な台脚部材３、３ａを連続形成し、下部に係合切込２ａを形成した他方のボード部材１ａの下部における係合切込２ａの両側部位より側方へ水平な脚部材４、４ａを連続形成すると共に、該脚部材４、４ａを反対方向に形成している。又、一方のボード部材１における台脚部材３、３ａの上方に、他方のボード部材１ａにおける脚部材４、４ａが位置し、台脚部材３、３ａに脚部材４、４ａを固定している。
具体的には、２枚のボード材５、５ａを適宜折曲、組み合わせて形成されている。
【０００６】
一方のボード材５の一側部より切込６を形成すると共に、該切込６の先端部より間隔Ｄだけ他端側に、切込６に対し直角な境界線Ｌ１を設定し、一方のボード材５における切込６が形成された一側部位７を一層、他側部位８を二層とすると共に、一側部位７及び他側部位８を一体形成し、一側部位７は厚さＴを有するボード部材１で、他側部位８は厚さＴ／２を有する２枚の台脚部材３、３ａで構成している。又、一方のボード材５の表裏面におけるボード部材１と台脚部材３、３ａとの直線状の境界線Ｌ１上に折曲線１０、１０ａ　を形成している。
又、一方のボード材５における切込６は、ボード部材１における係合切込２であり、その幅を、他方のボード部材１ａの厚さＴより若干幅広く形成している。
つまり、折曲線１０、１０ａ　を形成した、台脚部材３、３ａを有する２枚の板材を重ねると共に、該板材における一側部位同志を接着すれば、厚さＴのボード部材１及び厚さＴ／２の台脚部材３、３ａを有する一方のボード材５を簡単に形成することが出来る。
【０００７】
他方のボード材５ａの他側部より切込１２を形成すると共に、該切込１２の先端部より間隔Ｄだけ他端側に、切込１２に対し直角な境界線Ｌ２を設定し、他方のボード材５ａにおける一側部位１３は厚さＴを有するボード部材１ａで、他側部位１４は厚さＴ／２を有する２枚の脚部材４、４ａで構成し、一方の脚部材４の表面をボード部材１ａの表面と、他方の脚部材４ａの裏面をボード部材１ａの裏面と面一となる様に、ボード部材１ａ及び脚部材４、４ａを一体形成している。又、他方のボード材５ａの表裏面における境界線Ｌ２上に折曲線１５、１５ａ　を形成している。
又、他方のボード材５の切込１２は、脚部材４、４ａの間隙部とボード部材１ａにおける係合切込２ａにより構成し、その幅を、一方のボード部材１の厚さＴより若干幅広く形成している。
つまり、折曲線１５、１５ａ　を形成した、脚部材４、４ａを有する２枚の板材を重ねると共に、該板材における一側部位同志を接着すれば、厚さＴのボード部材１ａ及び厚さＴ／２の脚部材４、４ａを有する他方のボード材５ａを簡単に形成することが出来る。
【０００８】
ボード部材１、１ａの係合切込２、２ａの両端面の中間部より内方へ突片１８、１８ａ　、１９、１９ａ　を形成し、他方、ボード部材１、１ａにおける係合切込２、２ａの延長線上に、上記突片１８、１８ａ　、１９、１９ａ　の嵌合孔２０、２１を形成している。
【０００９】
他方のボード材５ａの脚部材４、４ａ及び一方のボード材５の台脚部材３、３ａに、完成状態において両者を固定する手段を設け、該固定手段を、脚部材４、４ａに形成したフラップ片２２、２２、２２ａ　、２２ａ　と、台脚部材３、３ａに形成したフラップ片２２、２２、２２ａ　、２２ａ　の固定孔２３、２３ａ　で構成し、該フラップ片２２、２２、２２ａ　、２２ａ　は、固定孔２３、２３ａ　を通って台脚部材３、３ａの下部に至る様に形成されている。
具体的には、脚部材４、４ａに切れ目２４、２４、２４ａ　、２４ａ　を形成することでフラップ片２２、２２、２２ａ　、２２ａ　を形成している。
又、固定孔２３、２３ａ　は、図１、２、４〜８に示す様な、境界線Ｌ１と係合切込２の中央線の交点を中心とした円弧状に形成するのが好ましく、この場合、脚部材４のフラップ片２２、２２及び脚部材４ａのフラップ片２２ａ　、２２ａ　は、境界線Ｌ２と係合切込２ａの中央線の交点を通る線上に、それらの先端が反対側へ向く様に対称配置されている。
【００１０】
次に本発明に係る自立式広告ボードの作用について説明する。
本発明に係る自立式広告ボードは、組立前の状態が平板状の２枚のボード材５、５ａであることから、保管、運送時に嵩張らない。
組立は、両方のボード材５、５ａを、両者の切込６、１２を合わせスライドさせて重ね、折曲線１０、１０ａ　、１５、１５ａ　で折曲した後、ボード材５、５ａを夫々反対方向に回転させた後、フラップ片２２、２２、２２ａ　、２２ａ　を押し下げて固定孔２３、２３ａ　内に差し込み、台脚部材３、３ａの下方に位置させて、かかるフラップ片２２、２２、２２ａ　、２２ａ　と脚部材４、４ａで台脚部材３、３ａを挟着することで、台脚部材３、３ａと脚部材４、４ａを固定するため、工具等を使用せずに組立てが可能になる。
【００１１】
ボード部材１、１ａの一方における突片１８、１８ａ　、１９、１９ａ　が、ボード部材１、１ａの他方における嵌合孔２０、２１に嵌まり込むため、ボード部材１、１ａ同志がずれずに直交状態を維持させることが可能になる。
【００１２】
【発明の効果】
要するに本発明は、一方のボード部材１の他側部に、厚さをボード部材１の半分とした積層状態の一対の台脚部材３、３ａを連続形成すると共に、一方のボード部材１と台脚部材３、３ａの境界線Ｌ１上に折曲線１０、１０ａ　を設け、一方のボード部材１の一側部より係合切込２を形成して一方のボード材５とし、又他方のボード部材１ａの他側部より係合切込２ａを形成し、他方のボード部材１ａにおける係合切込２ａの両側部位に一対の脚部材４、４ａを形成すると共に、他方のボード部材１ａと脚部材４、４ａの境界線Ｌ２上に折曲線１５、１５ａ　を設けて他方のボード材５ａとし、一方のボード材５を折曲線１０、１０ａ　で折曲して、一方のボード部材１の下部より両側方に台脚部材３、３ａを水平突出させると共に、他方のボード材５ａを折曲線１５、１５ａ　で折曲して、他方のボード部材１ａの下部より反対方向に脚部材４、４ａを水平突出させ、２枚のボード部材１、１ａを、一方のボード部材１の係合切込２と、他方のボード部材１ａの係合切込２ａにより水平断面十字状に組付けると共に、台脚部材３、３ａと、該台脚部材３、３ａ上に接地した脚部材４、４ａを固定する様にしたので、２枚の平板状のボード材５、５ａを適宜折曲して組み合わせるだけで立体的な自立式広告ボードにすることが出来ると共に、組立状態から２枚のボード材５、５ａに簡単に分解出来るため、組立・分解作業の簡易化を図ることが出来、而も部品点数が極めて少なく、それらが平板状であるため、運搬・保管時に嵩張らず、取扱い性の向上を図ることが出来る。
【００１３】
台脚部材３、３ａに円弧状の固定孔２３、２３ａ　を設けると共に、該固定孔２３、２３ａ　を通って台脚部材３、３ａの下部に至るフラップ片２２、２２、２２ａ　、２２ａ　を脚部材４、４ａに形成したので、２枚のボード部材１、１ａ間の角度を調節し、その角度に固定することが出来るため、設置状況に応じた形態に変形させることが出来る。
而も、組立時にフラップ片２２、２２、２２ａ　、２２ａ　を固定孔２３、２３ａ　に差し込んでセットした後、台脚部材３、３ａ及び脚部材４、４ａを折り起こせば、２枚のボード部材１、１ａを逆方向に回転させる際に、係合切込２、２ａを中心に２枚のボード部材１、１ａを確実に回転させることが出来るため、組立作業をスムーズに行うことが出来る等その実用的効果甚だ大である。
【図面の簡単な説明】
【図１】本発明に係る自立式広告ボードの斜視図である。
【図２】図１の平面図である。
【図３】図２のＡーＡ断面図である。
【図４】図２のＢーＢ断面図である。
【図５】一方のボード材の斜視図である。
【図６】図５のボード材を折り曲げた状態を示す斜視図である。
【図７】他方のボード材の斜視図である。
【図８】図７のボード材を折り曲げた状態を示す斜視図である。
【符号の説明】
１、１ａ　　　　　　　ボード部材
２、２ａ　　　　　　　係合切込
３、３ａ　　　　　　　台脚部材
４、４ａ　　　　　　　脚部材
５、５ａ　　　　　　　ボード材
１０、１０ａ　　　　　　　折曲線
１５、１５ａ　　　　　　　折曲線
２３、２３ａ　　　　　　　固定孔
２２、２２、２２ａ　、２２ａ　　フラップ片
Ｌ１、Ｌ２　　　　　境界線
【図１】
2004045683.tif 000003
【図２】
2004045683.tif 000004
【図３】
2004045683.tif 000005
【図４】
2004045683.tif 000006
【図５】
2004045683.tif 000007
【図６】
2004045683.tif 000008
【図７】
2004045683.tif 000009
【図８】
2004045683.tif 000010